(57)【要約】      （修正有）【課題】判子の外形の四角形を基準に判子を押すことができるので、判子が判子の長手方向を軸に回転して印影がずれることを防止することができる判子を提供する。【解決手段】判を押す判子１００Ａであって、判を押すときに挟んで持つ挟持部１１ａと、印影を形成する印影部１２ａと、印影部の外形を形成する先端外形部１３ａとを有し、挟持部は、四角形の棒状である、ことを特徴とする。【選択図】図１
0003200495.tif 000002
【実用新案登録請求の範囲】
【請求項１】
判を押す判子であって、
判を押すときに挟んで持つ挟持部と、
印影を形成する印影部と、
前記印影部の外形を形成する先端外形部と
有し、
前記挟持部は、四角形の棒状である、
ことを特徴とする判子。
【請求項２】
判を押す判子であって、
判を押すときに挟んで持つ挟持部と、
印影を形成する印影部と、
前記印影部の外形を形成する先端外形部と
有し、
前記先端外形部は、四角形の平板形状である、
ことを特徴とする判子。
【請求項３】
判を押す判子であって、
判を押すときに挟んで持つ挟持部と、
印影を形成する印影部と、
前記印影部の外形を形成する先端外形部と
有し、
前記挟持部は、四角形の棒状であり、
前記先端外形部は、四角形の平板形状である、
ことを特徴とする判子。
【考案の詳細な説明】
【技術分野】
【０００１】
本考案は、判を押す判子に関する。
【背景技術】
【０００２】
特許文献１では、ハンコ（判子）はまっすぐに押すために、ハンコの上部に折り畳みできる棒を取り付け、使用時にはこれを引起して捺印の基準とする技術を開示している。特許文献２では、ハンコをまっすぐに押すために、クリップの先にハンコ挟み部を設け、クリップのつまみ部にＬ字型の横定規を取り付け、鞘に縦定規を蝶番により直角に連結する技術を開示している。
【先行技術文献】
【特許文献】
【０００３】
【特許文献１】特開平９−１３６４７５号公報
【特許文献２】実開平７−４０４２号公報
【考案の概要】
【考案が解決しようとする課題】
【０００４】
しかしながら、特許文献１及び特許文献２に開示されている技術では、判子を押す時に判子が判子の長手方向を軸に回転して、印影がずれる場合がある。また、特許文献１及び特許文献２には、判子の長手方向を軸に回転して印影がずれることを防止する技術の記載がない。
【０００５】
本考案は、判を押す判子であって、判子を押す時に、判子が判子の長手方向を軸に回転して、印影がずれることを防止することができる判子を提供することを目的とする。
【課題を解決するための手段】
【０００６】
上記課題を解決するために、本考案の一つの実施形態は、判を押す判子であって、判を押すときに挟んで持つ挟持部と、印影を形成する印影部と、前記印影部の外形を形成する先端外形部とを有し、前記挟持部は、四角形の棒状である、ことを特徴とする判子を提供する。
【０００７】
本考案の他の実施形態は、判を押す判子であって、判を押すときに挟んで持つ挟持部と、印影を形成する印影部と、前記印影部の外形を形成する先端外形部とを有し、前記先端外形部は、四角形の平板形状である、ことを特徴とする判子であってもよい。
【０００８】
本考案の他の実施形態は、判を押す判子であって、判を押すときに挟んで持つ挟持部と、印影を形成する印影部と、前記印影部の外形を形成する先端外形部とを有し、前記挟持部は、四角形の棒状であり、前記先端外形部は、四角形の平板形状である、ことを特徴とする判子であってもよい。
【考案の効果】
【０００９】
本考案に係る判子によれば、判子の外形の四角形を基準に判子を押すことができるので、判子が判子の長手方向を軸に回転して印影がずれることを防止することができる。また、本考案に係る判子によれば、判子の外形の四角形を基準に判子を押すことができるので印影がずれることを防止することができ、且つ、デザイン上の自由度を損なうことなく、汎用性の高いデザインとすることができる。
【図面の簡単な説明】
【００１０】
【図１】本考案の実施形態に係る判子の例を説明する説明図である。
【図２】本考案の実施形態に係る判子の例を説明する説明図である。
【図３】本考案の実施形態に係る判子の例を説明する説明図である。
【図４】本考案の実施形態に係る判子の例を説明する説明図である。
【考案を実施するための形態】
【００１１】
実施形態に係る判子の例を用いて、本考案を説明する。なお、本考案は、以後に説明する判子以外でも、判子の外形の四角形を基準に判子を押すことができるもの（部品、部材、商品、製品など）であれば、いずれのものにも用いることができる。ここで、判子の色は、特に限定されない。判子の色は、透明、半透明、色付きのものであってもよい。また、判子の色は、説明書きを付記したもの、使用者（消費者）の趣味趣向に合わせた柄のものであってもよい。判子の形状の隅部は、角ばっていてもよく、丸みを帯びていてもよい。
【００１２】
以後に、本考案を説明する。
【００１３】
（第１の実施形態）
図１を用いて、本考案の第１の実施形態に係る判子の構成を説明する。ここで、図１は、第１の実施形態に係る判子１００Ａの一例を示す平面図である。なお、図１に示す判子の構成等は一例であり、本考案は図１に示す判子に示すものに限定されるものではない。
【００１４】
図１に示すように、本考案に係る判子１００Ａは、判を押すときに挟んで持つ挟持部１１ａと、印影を形成する印影部１２ａと、印影部１２ａの外形を形成する先端外形部１３ａとを有する。また、本考案に係る判子１００Ａは、判子の未使用時に先端外形部１３ａを覆って保護する蓋部材１４ａを更に有する。挟持部１１ａは、本実施形態では、四角形の棒状である。
【００１５】
本考案に係る判子１００Ａは、挟持部１１ａの四角形を基準に判子を押すことができるので、判子が判子の長手方向を軸に回転して印影がずれることを防止することができる。なお、挟持部１１ａの四角形の大きさ及び判子１００Ａの長手方向の長さは、特に限定されない。
【００１６】
（第２の実施形態）
図２を用いて、本考案の第２の実施形態に係る判子の構成を説明する。ここで、図２は、第２の実施形態に係る判子１００Ｂの一例を示す平面図である。なお、図２に示す判子の構成等は一例であり、本考案は図２に示す判子に示すものに限定されるものではない。
【００１７】
図２に示すように、本考案に係る判子１００Ｂは、判を押すときに挟んで持つ挟持部１１ｂと、印影を形成する印影部１２ｂと、印影部１２ｂの外形を形成する先端外形部１３ｂとを有する。先端外形部１３ｂは、本実施形態では、四角形の平板形状である。
【００１８】
本考案に係る判子１００Ｂは、先端外形部１３ｂの四角形を基準に判子を押すことができるので、判子が判子の長手方向を軸に回転して印影がずれることを防止することができる。なお、先端外形部１３ｂの四角形の大きさ及び判子１００Ｂの長手方向の長さは、特に限定されない。
【００１９】
（第３の実施形態）
図３を用いて、本考案の第３の実施形態に係る判子の構成を説明する。ここで、図３は、第３の実施形態に係る判子１００Ｃの一例を示す平面図である。なお、図３に示す判子の構成等は一例であり、本考案は図３に示す判子に示すものに限定されるものではない。
【００２０】
図３に示すように、本考案に係る判子１００Ｃは、判を押すときに挟んで持つ挟持部１１ｃと、印影を形成する印影部１２ｃと、印影部１２ｃの外形を形成する先端外形部１３ｃとを有する。挟持部１１ｃと先端外形部１３ｃは、本実施形態では、四角形の角柱形状である。
【００２１】
本考案に係る判子１００Ｃは、挟持部１１ｃの四角形及び／又は先端外形部１３ｃの四角形を基準に判子を押すことができるので、判子が判子の長手方向を軸に回転して印影がずれることを防止することができる。なお、挟持部１１ｃの四角形及び先端外形部１３ｃの四角形の大きさ及び判子１００Ｃの長手方向の長さは、特に限定されない。
【００２２】
（第４の実施形態）
図４を用いて、本考案の第４の実施形態に係る判子の構成を説明する。ここで、図４は、第４の実施形態に係る判子１００Ｄの一例を示す平面図である。なお、図４に示す判子の構成等は一例であり、本考案は図４に示す判子に示すものに限定されるものではない。
【００２３】
図４に示すように、本考案に係る判子１００Ｄは、判を押すときに挟んで持つ挟持部１１ｄと、印影を形成する印影部１２ｄと、印影部１２ｄの外形を形成する先端外形部１３ｄとを有する。挟持部１１ｄは、本実施形態では、四角形の角柱形状である。
【００２４】
本考案に係る判子１００Ｄは、挟持部１１ｄの四角形を基準に判子を押すことができるので、判子が判子の長手方向を軸に回転して印影がずれることを防止することができる。なお、挟持部１１ｄの四角形の大きさ及び判子１００Ｄの長手方向の長さは、特に限定されない。
【００２５】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２６】
１００Ａ，１００Ｂ，１００Ｃ，１００Ｄ  ：  判子
１１ａ，１１ｂ，１１ｃ，１１ｄ  ：  挟持部
１２ａ，１２ｂ，１２ｃ，１２ｄ  ：  印影部
１３ａ，１３ｂ，１３ｃ，１３ｄ  ：  先端外形部
１４ａ  ：  蓋部材
【図１】
0003200495.tif 000003
【図２】
0003200495.tif 000004
【図３】
0003200495.tif 000005
【図４】
0003200495.tif 000006